(57)【要約】【目的】誤った検知レベルの使用に起因する送信スループットの低下を抑制する。【構成】ネットワークにおいて通信を行う通信装置は、検知すべき信号の受信信号強度を示すレベルであって、第１の通信方式による第１の信号を検知するための第１の検知レベルを設定し、該通信装置の周辺に該第１の通信方式で通信する他の通信装置が存在するか否かを判定する。該通信装置は、該通信装置の周辺に該第１の通信方式で通信する他の通信装置が存在しないと判定された場合に、該第１の検知レベルを上げる。【選択図】図４
2019153884.tif 000002
【特許請求の範囲】
【請求項１】
ネットワークにおいて通信を行う通信装置であって、
検知すべき信号の受信信号強度を示すレベルであって、第１の通信方式による第１の信号を検知するための第１の検知レベルを設定する設定手段と、
前記通信装置の周辺に前記第１の通信方式で通信する他の通信装置が存在するか否かを判定する判定手段と、を有し、
前記判定手段により前記通信装置の周辺に前記第１の通信方式で通信する他の通信装置が存在しないと判定された場合に、前記設定手段は、前記第１の検知レベルを上げることを特徴とする通信装置。
【請求項２】
前記判定手段が、前記第１の通信方式で通信する他の通信装置が前記ネットワークの外に存在すると判定した場合に、前記設定手段は、前記第１の検知レベルを上げることを特徴とする請求項１に記載の通信装置。
【請求項３】
前記設定手段は、前記第１の通信方式と異なる第２の通信方式による第２の信号を検知するための第２の検知レベルを設定することを特徴とする請求項２に記載の通信装置。
【請求項４】
受信信号強度が前記第１の検知レベルより大きい信号を前記第１の信号として検知して復調する第１の処理手段と、
受信信号強度が前記第２の検知レベルより大きい信号を前記第２の信号として検知して復調する第２の処理手段を更に有し、
前記判定手段は、前記第１の処理手段と前記第２の処理手段による復調により得られた信号に基づいて、前記第１の通信方式で通信する他の通信装置が前記ネットワークの外に存在するか否かを判定することを特徴とする請求項３に記載の通信装置。
【請求項５】
前記判定手段は、第１の所定時間に受信した信号を用いて、前記通信装置の周辺に前記第１の通信方式で通信する他の通信装置が存在するか否かを判定することを特徴とする請求項１から４のいずれか１項に記載の通信装置。
【請求項６】
前記第１の処理手段が、前記第１の信号を正しく復調した場合に、前記判定手段は、前記通信装置の周辺に前記第１の通信方式で通信する他の通信装置が存在すると判定することを特徴とする請求項１に記載の通信装置。
【請求項７】
前記設定手段は、前記第１の検知レベルの値を上げてから第２の所定時間の経過後に、前記第１の検知レベルを下げることを特徴とする請求項１から６のいずれか１項に記載の通信装置。
【請求項８】
前記第１の通信方式は、ＤＳＳＳ（Direct Sequence Spread Spectrum）通信方式であり、前記第２の通信方式は、ＯＦＤＭ（Orthogonal Frequency Division Multiplexing）通信方式であることを特徴とする請求項３又は４に記載の通信装置
【請求項９】
前記第１の通信方式は、サブキャリア間隔が３１２．５ｋＨｚのＯＦＤＭ通信方式であり、前記第２の通信方式は、サブキャリア間隔が７８．１２５ｋＨｚのＯＦＤＭ通信方式であることを特徴とする請求項３又は４に記載の通信装置。
【請求項１０】
通信装置であって、
検知すべき信号の受信信号強度を示すレベルであって、第１の通信方式による信号を検知するための第１の検知レベルと、前記第１の通信方式及び他の通信方式による信号を検知するための第２の検知レベルを設定する設定手段と、
前記通信装置の周辺に前記第１の通信方式で通信する他の通信装置が存在するか否かを判定する判定手段と、を有し、
前記判定手段により前記通信装置の周辺に前記第１の通信方式で通信する他の通信装置が存在しないと判定された場合に、前記設定手段は、前記第１の検知レベルを上げることを特徴とする通信装置。
【請求項１１】
ネットワークにおいて通信を行う通信装置の制御方法であって、
検知すべき信号の受信信号強度を示すレベルであって、第１の通信方式による第１の信号を検知するための第１の検知レベルを設定する設定工程と、
前記通信装置の周辺に前記第１の通信方式で通信する他の通信装置が存在するか否かを判定する判定工程と、を有し、
前記判定工程により前記通信装置の周辺に前記第１の通信方式で通信する他の通信装置が存在しないと判定された場合に、前記設定工程では、前記第１の検知レベルを上げることを特徴とする通信装置の制御方法。
【請求項１２】
通信装置の制御方法であって、
検知すべき信号の受信信号強度を示すレベルであって、第１の通信方式による信号を検知するための第１の検知レベルと、前記第１の通信方式及び他の通信方式による信号を検知するための第２の検知レベルを設定する設定工程と、
前記通信装置の周辺に前記第１の通信方式で通信する他の通信装置が存在するか否かを判定する判定工程と、を有し、
前記判定工程において前記通信装置の周辺に前記第１の通信方式で通信する他の通信装置が存在しないと判定された場合に、前記設定工程では、前記第１の検知レベルを上げることを特徴とする通信装置の制御方法。
【請求項１３】
コンピュータを、請求項１から１０のいずれか１項に記載の通信装置として機能させるためのプログラム。
【発明の詳細な説明】
【技術分野】
【０００１】
本発明は、通信装置、通信装置の制御方法、およびプログラムに関する。
【背景技術】
【０００２】
ＩＥＥＥ８０２．１１シリーズに準拠する無線ＬＡＮ（Local Area Network）では、混信防止のために、送信前に送信チャネルの空き状況を確認することが義務付けられている。空き状況を確認する方式として、ＩＥＥＥ８０２．１１では２つの方式が規定されている。１つ目の方式は、無線ＬＡＮの電波のみを検知するＣＳ（Carrier Sense）方式であり、２つ目の方式は、無線ＬＡＮの電波か否かに関係なく電波のエネルギーを検知するＥＤ（Energy Detect）方式である。このＣＳ方式とＥＤ方式はそれぞれ、検知するための電波のエネルギーの強度レベル（以下、検知レベル）を有する。一般的に、ＣＳ方式の検知レベルは、ＥＤ方式の検知レベルより低い。例えば、ＣＳ方式の検知レベルは、−８２ｄＢｍであり、ＥＤ方式の検知レベルは−７０ｄＢｍである。
【０００３】
一方、ＩＥＥＥ８０２．１１では、ＤＳＳＳ方式、および、ＯＦＤＭ方式による通信を可能とすることが規定されている。なお、ＤＳＳＳはDirect Sequence Spread Spectrumであり、ＯＦＤＭはOrthogonal Frequency Divisional Multiplexingを表す。特許文献１には、ＤＳＳＳ方式とＯＦＤＭ方式による無線ＬＡＮ通信を行い、ＤＳＳＳ信号とＯＦＤＭ信号を送受信可能な通信装置の構成が提案されている。
【先行技術文献】
【特許文献】
【０００４】
【特許文献１】特開２００６−２９５４６５号公報
【発明の概要】
【発明が解決しようとする課題】
【０００５】
上述のように、ＩＥＥＥ８０２．１１シリーズに準拠する無線ＬＡＮ通信を行う通信装置は、ＣＳ方式およびＥＤ方式により、送信前に送信チャネルの空き状況を確認し得る。ＣＳ方式の検知レベルは、一般的にＥＤ方式の検知レベルより低いため、無線ＬＡＮ以外の信号に対しては、ＥＤ方式の検知レベルを用いて検知することが適切である。しかしながら、通信装置は、信号の種類によっては、本来はＥＤ方式の検知レベルを用いて送信チャネルの空き状況を確認すべきところ、誤ってＣＳ方式の検知レベルを用いてしまうことがあり得る。その結果、本来は検知すべきでない低いエネルギーレベルの信号が検知されることにより、送信停止確率が高くなり、送信スループットの低下を招いてしまう。
【０００６】
また、特許文献１に記載されているような、ＤＳＳＳ信号とＯＦＤＭ信号を受信可能な通信装置も、例えばＤＳＳＳ信号を受信しない環境において、ＤＳＳＳ信号に対して設定されたＣＳ方式の検知レベルを誤って用いてしまうことが有り得る。この場合も同様に、本来は検知すべきでない低いエネルギーレベルの信号が検知されることにより、送信停止確率が高くなり、送信スループットの低下を招いてしまう。
【０００７】
本発明は、上記課題に鑑みてなされたものであり、誤った検知レベルの使用に起因する送信スループットの低下を抑制することを目的とする。
【課題を解決するための手段】
【０００８】
上記目的を達成するための一手段として、本発明の通信装置は以下の構成を有する。すなわち、ネットワークにおいて通信を行う通信装置であって、検知すべき信号の受信信号強度を示すレベルであって、第１の通信方式による第１の信号を検知するための第１の検知レベルを設定する設定手段と、前記通信装置の周辺に前記第１の通信方式で通信する他の通信装置が存在するか否かを判定する判定手段と、を有し、前記判定手段により前記通信装置の周辺に前記第１の通信方式で通信する他の通信装置が存在しないと判定された場合に、前記設定手段は、前記第１の検知レベルを上げる。
【発明の効果】
【０００９】
本発明によれば、誤った検知レベルの使用に起因する送信スループットの低下を抑制することが可能となる。
【図面の簡単な説明】
【００１０】
【図１】実施形態におけるネットワークの構成例を示す。
【図２】第１の実施形態における通信装置１０１の構成例を示す。
【図３】通信装置１０１の制御部１０８の機能構成例を示す。
【図４】第１の実施形態における通信装置１０１の処理のフローチャートである。
【図５】第２の実施形態における通信装置１０１の構成例を示す。
【図６】第２の実施形態における通信装置１０１の処理のフローチャートである。
【図７】第２の実施形態における受信パケットの構成例を示す。
【発明を実施するための形態】
【００１１】
以下、添付の図面を参照して、本発明をその実施形態の一例に基づいて詳細に説明する。なお、以下の実施形態において示す構成は一例に過ぎず、本発明は図示された構成に限定されるものではない。
【００１２】
［第１の実施形態］
（ネットワーク構成）
図１に、本実施形態における無線ＬＡＮのネットワーク構成を示す。本実施形態では、無線ＬＡＮ端末またはアクセスポイントとして機能する複数の通信装置１０１〜１０４からネットワーク１０５が構成されている。本実施形態では、通信装置１０１がネットワーク１０５内の他の通信装置とＩＥＥＥ（The Institute of Electrical and Electronics Engineers. Inc.）８０２．１１シリーズに準拠した無線ＬＡＮ通信を行うことを想定する。ここで、通信装置１０１は、ネットワーク１０５の内外からの、無線ＬＡＮ信号や無線ＬＡＮ以外の信号を検知し得る状況にある。
【００１３】
（通信装置１０１の構成）
本実施形態における通信装置１０１の構成を、図２と図３を参照して説明する。ここでは、本実施形態に関連する処理である受信処理に関する構成について説明する。図２は、本実施形態における通信装置１０１の構成例を示す図である。図２に示す各構成要素は、それぞれハードウェア又はソフトウェアによって構成される。ソフトウェアとして構成される場合には、各機能を実現するためのコンピュータプログラムがメモリ２０６に記憶され、制御部２０５が当該プログラムを実行することによって該機能が実現される。
【００１４】
通信装置１０１は、その構成の一例として、アンテナ部２０１、高周波処理部２０２、ベースバンド処理部２０３、媒体アクセス管理部２０４、制御部２０５、メモリ２０６、通信インターフェース２０７、表示部２０８、および入力部２０９を有する。また、ベースバンド処理部２０３は、ＤＳＳＳ（Direct Sequence Spread Spectrum）処理部２１１とＯＦＤＭ（Orthogonal Frequency Divisional Multiplexing）処理部２１２を有する。
【００１５】
アンテナ部２０１は、ネットワーク１０５内の他の通信装置等から送信された無線信号を受信する。高周波処理部２０２は、アンテナ部２０１により受信された無線信号を、ベースバンド信号に変換する。ベースバンド処理部２０３では、不図示のＡ／Ｄ（アナログ／ディジタル）変換部が、ベースバンド信号がディジタル信号に変換した後、ＤＳＳＳ処理部２１１とＯＦＤＭ処理部２１２がそれぞれ、ＤＳＳＳ復調処理とＯＦＤＭ復調処理を行う。また、ベースバンド処理部２０３により復調されたディジタル信号は、媒体アクセス管理部２０４により、ヘッダ処理等のディジタル信号処理が行われ、制御部２０５に送られる。制御部２０５は種々の機能を有し、通信装置１０１全体の制御を行う。制御部２０５の機能構成については後述する。メモリ２０６は、制御部２０５により実行される、通信装置１０１を制御するためのプログラムを格納する。また、メモリ２０６は、媒体アクセス管理部２０４からのデータ等を格納する。通信インターフェース２０７は、不図示の外部装置あるいは外部ユニットへとのデータの送受信処理を行う。表示部２０８は、制御部２０５により各種データ処理が行われた結果等を表示する。入力部２０９は、ユーザーにより指示される各種設定や、コマンド等の入力に使用される。
【００１６】
次に、ＤＳＳＳ処理部２１１とＯＦＤＭ処理部２１２について、より詳細に説明する。ＤＳＳＳ処理部２１１には、後述する検知レベル設定部３０１により、ＣＳ方式の検知レベル（ＤＳＳＳ  ＣＳ検知レベル）とＥＤ方式の検知レベル（ＤＳＳＳ  ＥＤ検知レベル）が設定される。ＤＳＳＳ処理部２１１は、無線ＬＡＮの信号についてはＤＳＳＳ  ＣＳ検知レベルを用いて受信信号強度を判定し、受信信号強度がＤＳＳＳ  ＣＳ検知レベル以上の信号を検知してＤＳＳＳ方式に従って復調する。同様に、ＤＳＳＳ処理部２１１は、無線ＬＡＮ以外の信号についてはＤＳＳＳ  ＥＤ検知レベルを用いて受信信号強度を判定し、受信信号強度がＤＳＳＳ  ＥＤ検知レベル以上の信号を検知してＤＳＳＳ方式に従って復調する。
【００１７】
また、ＯＦＤＭ処理部２１２には、検知レベル設定部３０１により、ＣＳ方式の検知レベル（ＯＦＤＭ  ＣＳ検知レベル）とＥＤ方式の検知レベル（ＯＦＤＭ  ＥＤ検知レベル）が設定される。ＯＦＤＭ処理部２１２は、無線ＬＡＮの信号についてはＯＦＤＭ  ＣＳ検知レベルを用いて受信信号強度を判定し、受信信号強度がＯＦＤＭ  ＣＳ検知レベル以上の信号を検知してＯＦＤＭ通信方式に従って復調する。同様に、ＯＦＤＭ処理部２１２は、無線ＬＡＮ以外の信号についてはＯＦＤＭ  ＥＤ検知レベルを用いて受信信号強度を判定し、受信信号強度がＯＦＤＭ  ＥＤ検知レベル以上の信号を検知してＯＦＤＭ通信方式に従って復調する。
【００１８】
次に、制御部２０５の機能構成について説明する。制御部２０５は、１つ以上のＣＰＵ（Central Processing Unit）、または、ＭＰＵ（Micro Processing Unit）により構成され、メモリ２０６に記憶されたプログラムを実行することにより通信装置１０１全体を制御する。図３に、制御部２０５における機能構成例を示す。制御部２０５は、その機能構成の一例として、検知レベル設定部３０１、パラメータ設定部３０２、判定部３０３、データ管理部３０４、通信制御部３０５、入出力制御部３０６、およびタイマ部３０７を有する。
【００１９】
検知レベル設定部３０１は、ベースバンド処理部２０３に対して、前述したＤＳＳＳ  ＣＳ検知レベル、ＤＳＳＳ  ＥＤ検知レベル、ＯＦＤＭ  ＣＳ検知レベル、およびＯＦＤＭ  ＥＤ検知レベルを設定する。パラメータ設定部３０２は、ベースバンド処理部２０３や媒体アクセス管理部２０４における各種処理に関するパラメータを設定する。判定部３０３は、ＤＳＳＳ処理部２１１とＯＦＤＭ処理部２１２の復調結果に基づいて、通信チャネルにおいて、周辺にＤＳＳＳ方式またはＯＦＤＭ通信方式で通信する他の通信装置が存在するか否かを判定する。データ管理部３０４は、メモリ２０６に格納されるデータの管理を行う。通信制御部３０５は、通信インターフェース２０７における通信処理を制御する。入出力制御部３０６は、表示部２０８への表示制御を行うほか、入力部２０９により入力されたコマンド等を、通信装置１０１の各構成要素に伝達する。タイマ部３０７は、計時処理を行う。
【００２０】
（処理の流れ）
続いて、本実施形態における通信装置１０１の動作について、図４を参照して説明する。図４は、第１の実施形態における通信装置１０１の処理のフローチャートである。図４に示すフローチャートは、制御部２０５がメモリ２０６に記憶されている制御プログラムを実行し、情報の演算および加工並びに各ハードウェアの制御を実行することにより実現され得る。
【００２１】
まず、Ｓ４０１において、検知レベル設定部３０１は、ＤＳＳＳ  ＥＤ検知レベルを−７０ｄＢｍ、ＯＦＤＭ  ＥＤ検知レベルを−７０ｄＢｍ、ＯＦＤＭ  ＣＳ検知レベルを−８２ｄＢｍに設定する。続いて、Ｓ４０２において、検知レベル設定部３０１は、ＤＳＳＳ  ＣＳ検知レベルを−８２ｄＢｍに設定する。Ｓ４０１とＳ４０２における各種検知レベルの設定後、Ｓ４０３において、通信装置１０１の制御部２０５は、第１の所定時間（例えば１秒）の間に受信した信号を、周辺通信情報としてメモリ２０６に保持する。この第１の所定時間は、タイマ部３０７により計時される。第１の所定時間の経過後に、Ｓ４０４において、通信装置１０１の制御部２０５は、周囲にＤＳＳＳ方式で通信する通信装置が存在するか否かを判定する。具体的には、判定部３０３が、第１の所定時間の間に受信された信号がＤＳＳＳ処理部２１１により正しく復調されたか否かを判定する。判定部３０３により、ＤＳＳＳ処理部２１１により正しく復調されたと判定された場合、すなわち、周囲にＤＳＳＳ方式で通信する通信装置が存在すると判定された場合（Ｓ４０４でＹｅｓ）、処理はＳ４０２に戻る。
【００２２】
一方、判定部３０３により、ＤＳＳＳ処理部２１１により正しく復調されなかったと判定された場合、すなわち、周囲にＤＳＳＳ方式で通信する通信装置が存在しないと判定された場合（Ｓ４０４でＮｏ）、処理はＳ４０５へ進む。第１の所定時間の間に何ら信号が受信されなかった場合も、周囲にＤＳＳＳ方式で通信する通信装置が存在しないと判定され（Ｓ４０４でＮｏ）、Ｓ４０５へ進む。Ｓ４０５では、検知レベル設定部３０１は、ＤＳＳＳ処理部２１１に対して、ＤＳＳＳ  ＣＳ検知レベルを−７０ｄＢｍに設定する。すなわち、ＤＳＳＳ  ＣＳ検知レベルが−８２ｄＢｍから−７０ｄＢｍに緩和される。これにより、ＤＳＳＳ処理部２１１が、従来誤検知していた、例えば−７５ｄＢｍの干渉信号を検知しなくなることにより、誤検知による送信停止確率が効果的に低減される。
【００２３】
Ｓ４０５でＤＳＳＳ  ＣＳ検知レベルが−７０ｄＢに設定された後、Ｓ４０６において、制御部２０５は、第２の所定時間（例えば１０秒）経過したかどうかを確認する。第２の所定時間は、タイマ部３０７により計時される。第２の所定時間の経過後（Ｓ４０６でＹｅｓ）、処理はＳ４０２に戻る。これにより、通信装置１０１の周辺に新たにＤＳＳＳ方式で通信する装置が入ってきた場合でも、その装置を認識でき、通信装置１０１と当該装置との共存が可能となる。
【００２４】
このように、本実施形態における通信装置１０１は、通信装置１０１の周辺にＤＳＳＳ方式で通信する装置が存在しない場合に、ＤＳＳＳ  ＣＳ検知レベルを緩和する。これにより、例えば、通信装置１０１のＤＳＳＳ処理部２１１が、本来はＤＳＳＳ  ＥＤ検知レベルを用いて受信信号強度を判定すべきところ、誤ってＤＳＳＳ  ＣＳ検知レベルを用いてしまう場合であっても、誤検知を防げる。これにより、通信装置１０１による送信停止の確率が高くなることを抑制でき、送信するスループットの低下を回避することが可能となる。なお、本実施形態ではＤＳＳＳ  ＣＳ検知レベルを制御することについて説明したが、ＯＦＤＭ  ＣＳ検知レベルを制御することも可能である。すなわち、周囲にＯＦＤＭ方式で通信する通信装置が存在しない場合に、ＯＦＤＭ  ＣＳ検知レベルを上げてもよい。
【００２５】
［第２の実施形態］
第１の実施形態では、通信装置１０１の周辺にＤＳＳＳ方式で通信する装置が存在しない場合に、ＤＳＳＳ  ＣＳ検知レベルを緩和する形態について説明した。本実施形態では、通信装置１０１が２種類のＯＦＤＭ通信方式で通信可能である場合に、当該２種類のＯＦＤＭ信号の一方の通信方式で通信する他の装置が周辺に存在しない場合の制御について説明する。なお、以下において、第１の実施形態と共通の事項については、説明を省略する。
【００２６】
（通信装置１０１の構成）
本実施形態における通信装置１０１の構成を、図５を参照して説明する。図５は、本実施形態における通信装置１０１の構成例を示す図である。第１の実施形態と同様に、ここでは、本実施形態に関連する処理である受信処理に関する構成について説明する。なお、第１の実施形態において説明した図２と比較して、ベースバンド処理部２０３の構成が異なる。本実施形態におけるベースバンド処理部２０３は、第１のＯＦＤＭ処理部５１１と第２のＯＦＤＭ処理部５１２とＥＤ検知部５１３を有する。第１のＯＦＤＭ処理部５１１は、第１のＯＦＤＭ通信方式に基づく信号として、サブキャリア間隔３１２．５ｋＨｚ（例えばＩＥＥＥ８０２．１１ａｃ）のＯＦＤＭ信号（第１のＯＦＤＭ信号）を復調することができる。また、第２のＯＦＤＭ処理部５１２は、第２のＯＦＤＭ通信方式に基づく信号として、サブキャリア間隔７８．１２５ｋＨｚ（例えばＩＥＥＥ８０２．１１ａｘ）ＯＦＤＭ信号（第２のＯＦＤＭ信号）を復調することができる。
【００２７】
制御部２０５の機能構成は、第１の実施形態において説明した図３と同様である。ただし、検知レベル設定部３０１は、第１のＯＦＤＭ処理部５１１、第２のＯＦＤＭ処理部５１２、ＥＤ検知部５１３のそれぞれに対して、第１ＯＦＤＭ  ＣＳ検知レベル、第２ＯＦＤＭ  ＣＳ検知レベル、ＥＤ検知レベルを設定する。第１のＯＦＤＭ処理部５１１は、第１ＯＦＤＭ  ＣＳ検知レベルと受信信号強度を比較し、受信信号強度が第１ＯＦＤＭ  ＣＳ検知レベル以上の信号を検知して第１のＯＦＤＭ通信方式に従って復調する。また、第２のＯＦＤＭ処理部５１２は、第２ＯＦＤＭ  ＣＳ検知レベルと受信信号強度を比較し、受信信号強度が第２ＯＦＤＭ  ＣＳ検知レベル以上の信号を検知して第２のＯＦＤＭ通信方式に従って復調する。ＥＤ検知部５１３は、無線ＬＡＮ以外の信号についてＥＤ検知レベルを用いて受信信号強度を判定し、受信強信号度がＥＤ検知レベル以上の信号を検知する。
【００２８】
（処理の流れ）
続いて、本実施形態における通信装置１０１の動作について、図６を参照して説明する。図６は、第２の実施形態における通信装置１０１の処理のフローチャートである。図４に示すフローチャートは、制御部２０５がメモリ２０６に記憶されている制御プログラムを実行し、情報の演算および加工並びに各ハードウェアの制御を実行することにより実現され得る。
【００２９】
まず、Ｓ６０１において、検知レベル設定部３０１は、ＥＤ検知レベルを−７０ｄＢｍ、第１ＯＦＤＭ  ＣＳ検知レベルを−８２ｄＢｍ、第２ＯＦＤＭ  ＣＳ検知レベルを−８２ｄＢｍに設定する。各種検知レベルの設定後、通信装置１０１の制御部２０５は、第１の所定時間（例えば１秒）の間に受信した信号を、周辺通信情報として保持する。第１の所定時間は、タイマ部３０７により計時される。第１の所定時間の経過後に、Ｓ６０２において、通信装置１０１の制御部２０５は、周囲に第１のＯＦＤＭ通信方式で通信する通信措置が存在するか否かを判定する。具体的には、判定部３０３が、第１のＯＦＤＭ処理部５１１と第２のＯＦＤＭ処理部５１２で復調された、第１の所定時間の間に受信された信号を解析することにより、当該判定を行う。
【００３０】
Ｓ６０２の判定の一例を、図７（Ａ）と図７（Ｂ）を参照して説明する。図７（Ａ）は、第１のＯＦＤＭ処理部５１１による復調により得られる第１のＯＦＤＭ信号のパケット構成例を示す。図７（Ｂ）は、第２のＯＦＤＭ処理部５１２による復調により得られる第２のＯＦＤＭ信号のパケットの構成例である。図７（Ａ）から分かるように、第１ＯＦＤＭ信号のパケットは、第１のＯＦＤＭ信号用プリアンブルとペイロードから構成される。また、図７（Ｂ）から分かるように、第２のＯＦＤＭ信号のパケットは、第１のＯＦＤＭ信号用プリアンブル、第２のＯＦＤＭ信号用プリアンブル、およびペイロードから構成される。したがって、第１のＯＦＤＭ処理部５１１と第２のＯＦＤＭ処理部５１２により復調されたＯＦＤＭ信号の構成が図７（Ａ）の構成である場合、判定部３０３は、第１のＯＦＤＭ通信方式で通信する通信装置が存在すると判定する。
【００３１】
また、Ｓ６０２の判定の別の例として、判定部３０３は、第１のＯＦＤＭ処理部５１１と第２のＯＦＤＭ処理部５１２で復調された、無線ＬＡＮのマネージメントフレームの中にある情報エレメント内の情報を用いる。例えば、判定部３０３は、当該情報エレメント内に、第２のＯＦＤＭ通信方式に関する情報を示すＩＤ＝２５５が存在しない場合に、第１のＯＦＤＭ通信方式で通信する通信装置が存在すると判断する。
【００３２】
Ｓ６０２において、第１のＯＦＤＭ信号方式で通信する通信装置が存在しないと判定された場合（Ｓ６０２でＮｏ）、処理はＳ６０４へ進む。Ｓ６０４において、検知レベル設定部３０１は、第１ＯＦＤＭ  ＣＳレベルを−６２ｄＢｍに、ＥＤ検知レベルを−６２ｄＢｍに設定する。これにより、第１のＯＦＤＭ処理部５１１の誤検知による送信停止確率の低減が可能となる。続いて、Ｓ６０６で制御部２０５が第２の所定時間（例えば５秒）経過したかどうかを確認する。第２の所定時間は、タイマ部３０７により計時される。第２の所定時間の経過後（Ｓ６０６でＹｅｓ）、処理はＳ６０１に戻る。
【００３３】
Ｓ６０２において、第１のＯＦＤＭ信号方式で通信する通信装置が存在すると判定された場合（Ｓ６０２でＹｅｓ）、処理はＳ６０３へ進む。Ｓ６０３において、判定部３０３は、第１のＯＦＤＭ通信方式で通信する通信装置が、通信装置１０１が所属するネットワーク１０５中に存在するか否かを判定する。具体的には、判定部３０３は、第１のＯＦＤＭ処理部５１１と第２のＯＦＤＭ処理部５１２で復調された信号を解析することにより、当該判定を行う。例えば、判定部３０３は、復調された信号に含まれる、所属ネットワークを識別する情報が、ネットワーク１０５に対応する場合に、第１のＯＦＤＭ信号を使用する装置が、ネットワーク１０５中に存在すると判断する。所属ネットワークを識別する情報の一例はＢＳＳＩＤ（Basic Service Set Identifier）である。また、Ｓ６０３の判定の別の例として、判定部３０３は、復調された信号に含まれる、所属ネットワークのグループに関する情報を用いる。判定部３０３は、所属ネットワークのグループに関する情報が、ネットワーク１０５のグループに関する情報と一致する場合に、第１のＯＦＤＭ信方式で通信する通信装置が、ネットワーク１０５中に存在すると判定する。
【００３４】
第１のＯＦＤＭ通信方式で通信する通信装置が、ネットワーク１０５中に存在すると判定された場合（S６０３でＹｅｓ）、処理はＳ６０１へ戻る。一方、第１のＯＦＤＭ通信方式で通信する通信装置が、ネットワーク１０５中に存在しない、すなわち、ネットワーク１０５と隣接するネットワーク内に第１のＯＦＤＭ信号を使用する装置が存在すると判定された場合（Ｓ６０３でＮｏ）、処理はＳ６０５へ進む。Ｓ６０５では、検知レベル設定部３０１は、第１ＯＦＤＭ  ＣＳ検知レベルを、Ｓ６０１で設定していた−８２ｄＢｍから変更し、−７０ｄＢｍに設定し、キャリアセンス感度を緩和させる。これにより、隣接ネットワークからの第１のＯＦＤＭ信号のキャリアセンスによるネットワーク１０５におけるスループット低下の軽減が可能となる。Ｓ６０５で検知レベル設定部３０１が第１ＯＦＤＭ  ＣＳ検知レベルを−７０ｄＢｍに設定後、Ｓ６０７で、制御部２０５が第３の所定時間（例えば５秒）経過したかどうかを確認する。第３の所定時間は、タイマ部３０７により計時される。第３の所定時間の経過後（Ｓ６０７でＹｅｓ）、処理はＳ６０１に戻る。
【００３５】
このように、本実施形態における通信装置１０１は、第１のＯＦＤＭ処理部５１１の誤検知による送信停止確率の低減と、隣接ネットワークからの第１のＯＦＤＭ信号のキャリアセンス感度の緩和を行う。これにより、通信装置１０１が所属するネットワークのスループット低下の軽減が可能となる。
【００３６】
なお、上記実施形態においては、２つの通信方式による信号を受信および復調可能な通信装置を通信装置１０１として想定したが、通信装置１０１は、１つまたは３つ以上の通信方式による信号を受信および復調可能な通信装置であってもよい。
【００３７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３８】
２０１ アンテナ部、２０２ 高周波処理部、２０３ ベースバンド処理部、２０４  媒体アクセス管理部、２０５ 制御部、２０６  メモリ、２０７  通信インターフェース、２０８  表示部、２０９ 入力部
【図１】
2019153884.tif 000003
【図２】
2019153884.tif 000004
【図３】
2019153884.tif 000005
【図４】
2019153884.tif 000006
【図５】
2019153884.tif 000007
【図６】
2019153884.tif 000008
【図７】
2019153884.tif 000009